(57)【要約】【課題】本発明は、侵入者の無断侵入を防止することができる実用性に秀れた自動扉装置を提供することを目的とする。【解決手段】通行者を検知した検知部１の信号を受けて作動する駆動機構により開閉する自動扉装置であって、一対の扉板２ａ，２ｂが閉じた際における両扉の対向する間隙を該扉板２ａ，２ｂの外側若しくは内側面から隠蔽する隠蔽体３が設けられているものである。【選択図】図１
2007262757.tif 000002
【特許請求の範囲】
【請求項１】
通行者を検知した検知部の信号を受けて作動する駆動機構により開閉する自動扉装置であって、一対の扉板が閉じた際における両扉の対向する間隙を該扉板の外側若しくは内側面から隠蔽する隠蔽体が設けられていることを特徴とする自動扉装置。
【請求項２】
通行者を検知した検知部の信号を受けて作動する駆動機構により開閉する自動扉装置であって、扉受体に扉板が当接若しくは非当接となることで通路が形成されるものであり、前記扉受体に前記扉板が当接した際における該扉受体と該扉板との間隙を該扉板の外側若しくは内側面から隠蔽する隠蔽体が設けられていることを特徴とする自動扉装置。
【請求項３】
請求項１，２のいずれか１項に記載の自動扉装置において、前記隠蔽体は扉板の側面に取り付けられる取付体に連設されるものであることを特徴とする自動扉装置。
【請求項４】
請求項１〜３いずれか１項に記載の自動扉装置において、前記隠蔽体は両扉の表面若しくは裏面に添設されるものであることを特徴とする自動扉装置。
【請求項５】
通行者を検知した検知部の信号を受けて作動する駆動機構により開閉する自動扉装置であって、開閉する扉板と該扉板を上側でガイドする上枠部との間隙を該扉板の外側若しくは内側面から隠蔽する隠蔽体が設けられていることを特徴とする自動扉装置。
【請求項６】
通行者を検知した検知部の信号を受けて作動する駆動機構により開閉する自動扉装置であって、開閉する扉板の下方には該扉板をガイドする下枠部が設けられ、前記扉板の下部には前記下枠部に嵌入される嵌入体が設けられ、この嵌入体は扉板の開閉方向に連続する連続体に構成されていることを特徴とする自動扉装置。
【請求項７】
通行者を検知した検知部の信号を受けて作動する駆動機構により開閉する自動扉装置であって、一対の扉板のいずれか一方の扉板の側面には平断面視コ字状の端部が設けられ、この端部の凹部には他方の扉板が嵌合されるように構成されていることを特徴とする自動扉装置。
【発明の詳細な説明】
【技術分野】
【０００１】
本発明は、扉を閉じた際における間隙を隠蔽する隠蔽体が設けられた自動扉装置に関するものである。
【背景技術】
【０００２】
従来、アパートやマンション等の集合住宅の共用玄関は一般的に自動扉が設置され、建物の内部と外部とが隔てられた構造となっている。
【０００３】
ところで、自動扉が設置された共用玄関において、建物内部から外部への通行は自由に行える反面、防犯性を高めるために建物外部から内部への通行は制限されるようにする場合がある。
【０００４】
具体的には、図16に図示したように、建物の内部Ｉから外部Ｅへ通行する通行者を検知する検知部１が自動扉２ａ，２ｂの内側周辺（図16においては自動扉２ａ，２ｂの内側上方）に設けられ、建物の内部Ｉから外部Ｅへ向かう通行者があると、この通行者を検知した検知部１が作動信号を駆動装置に送信することによって自動扉２ａ，２ｂが自動的に開き、この通行者は自由に通行できるようになっている。
【０００５】
一方、建物の外部Ｅから内部Ｉへ向かう通行者があっても、自動扉２ａ，２ｂの外側周辺には、この通行者を検知する検知部１が設けられていないため、建物外部Ｅから内部Ｉへの通行は制限され、建物外部Ｅから内部Ｉへ通行者が通行する場合には、建物外部Ｅに設けられたオートロック操作板17に暗証番号を打ち込むか、このオートロック操作板17のインターホンを介した呼出し通話によって住戸内から解除信号が送信されることによってのみ自動扉２ａ，２ｂが開くようになっている。
【発明の開示】
【発明が解決しようとする課題】
【０００６】
しかしながら、上述した従来技術は、図17に図示したように、閉状態の自動扉２ａ，２ｂの僅かな間隙や、閉状態の自動扉２ａ，２ｂを人為的に力を加えて生じさせた僅かな間隙を介して、外部Ｅから例えば下敷きＳのような薄板材や、針金等の器物を内部Ｉに容易に挿入でき、この薄板材や器物を内部Ｉの検知部１に検知させることで簡単に自動扉２ａ，２ｂが開いてしまうため、外部Ｅから侵入者が無断侵入する危険性がある。
【０００７】
本発明は、上述した従来技術の問題点を解決するもので、侵入者の無断侵入を防止することができる実用性に秀れた自動扉装置を提供するものである。
【課題を解決するための手段】
【０００８】
添付図面を参照して本発明の要旨を説明する。
【０００９】
通行者を検知した検知部１の信号を受けて作動する駆動機構により開閉する自動扉装置であって、一対の扉板２ａ，２ｂが閉じた際における両扉の対向する間隙を該扉板２ａ，２ｂの外側若しくは内側面から隠蔽する隠蔽体３が設けられていることを特徴とする自動扉装置に係るものである。
【００１０】
また、通行者を検知した検知部１の信号を受けて作動する駆動機構により開閉する自動扉装置であって、扉受体５に扉板２ｃが当接若しくは非当接となることで通路が形成されるものであり、前記扉受体５に前記扉板２ｃが当接した際における該扉受体５と該扉板２ｃとの間隙を該扉板２ｃの外側若しくは内側面から隠蔽する隠蔽体３が設けられていることを特徴とする自動扉装置に係るものである。
【００１１】
また、請求項１，２のいずれか１項に記載の自動扉装置において、前記隠蔽体３は扉板の側面に取り付けられる取付体４に連設されるものであることを特徴とする自動扉装置に係るものである。
【００１２】
また、請求項１〜３いずれか１項に記載の自動扉装置において、前記隠蔽体３は両扉の表面若しくは裏面に添設されるものであることを特徴とする自動扉装置に係るものである。
【００１３】
また、通行者を検知した検知部１の信号を受けて作動する駆動機構により開閉する自動扉装置であって、開閉する扉板２ａ，２ｂ，２ｃと該扉板２ａ，２ｂ，２ｃを上側でガイドする上枠部６との間隙を該扉板の外側若しくは内側面から隠蔽する隠蔽体３が設けられていることを特徴とする自動扉装置に係るものである。
【００１４】
また、通行者を検知した検知部１の信号を受けて作動する駆動機構により開閉する自動扉装置であって、開閉する扉板２ａ，２ｂ，２ｃの下方には該扉板２ａ，２ｂ，２ｃをガイドする下枠部12が設けられ、前記扉板２ａ，２ｂ，２ｃの下部には前記下枠部12に嵌入される嵌入体16が設けられ、この嵌入体16は扉板２ａ，２ｂ，２ｃの開閉方向に連続する連続体に構成されていることを特徴とする自動扉装置に係るものである。
【００１５】
また、通行者を検知した検知部１の信号を受けて作動する駆動機構により開閉する自動扉装置であって、一対の扉板２ａ，２ｂのいずれか一方の扉板２ａの側面には平断面視コ字状の端部が設けられ、この端部の凹部には他方の扉板２ｂが嵌合されるように構成されていることを特徴とする自動扉装置に係るものである。
【発明の効果】
【００１６】
本発明は上述のように構成したから、一対の扉板が閉じた際における両扉の間隙を隠蔽することができ、これにより前述した従来技術で説明したような侵入者の無断侵入を効果的に防止することができる実用性に秀れた自動扉装置となる。
【発明を実施するための最良の形態】
【００１７】
好適と考える本発明の実施形態を、図面に基づいて本発明の作用を示して簡単に説明する。
【００１８】
一対の扉板２ａ，２ｂが閉じた際における両扉の間隙を、該扉板２ａ，２ｂの外側若しくは内側面の隠蔽体３により隠蔽する。
【００１９】
従って、例えば下敷きＳのような薄板材を前記間隙に挿入しようとしても、隠蔽体３により阻止される為、前述したような侵入者の無断侵入は防止される。
【実施例１】
【００２０】
本発明の具体的な実施例１について図１〜10に基づいて説明する。
【００２１】
本実施例は、マンションの共同玄関に設置して建物内部Ｉと外部Ｅとを隔てる自動扉装置であり、この自動扉装置は、建物内部Ｉからの通行者を検知した検知部１の信号を受けて作動する駆動機構により一対の扉板２ａ，２ｂの開閉が行われる構成となっており、また、この一対の扉板２ａ，２ｂが閉じた際における両扉の間隙が隠蔽される構成となっている。
【００２２】
検知部１は、一対の扉板２ａ，２ｂの内部Ｉ側の側面に設けられている。具体的には検知部１は、一対の扉板２ａ，２ｂの上方の図示しない駆動機構を収納した上枠部６に設けられている。
【００２３】
また、建物外部Ｅから内部Ｉへの通行者を検知する検知部は設けずに、外部Ｅからの通行者がある場合には、オートロック操作板17に通行者が暗証番号を打ち込むか、このオートロック操作板17のインターホンを介した呼出し通話によって住戸内から解除信号が送信されることによってのみ扉板２ａ，２ｂが開閉する構成としている。
【００２４】
尚、本実施例は反射式の検知部１を一対の扉板２ａ，２ｂの上方のに位置する上枠部６に設けた場合について説明するが、検知部１は、建物内部Ｉから外部Ｅへの通行者を検知するものであれば、反射式に限らずタッチ式やその他適宜なものを採用して良く、また、この検知部１の取付位置も適宜設定して良い。
【００２５】
前記一対の扉板２ａ，２ｂのうち、他方の扉板２ｂの側フレーム２ｂ’には取付体４と該取付体４の両端に連設される隠蔽体３とから成る断面視Ｈ型の部材が設けられている。
【００２６】
この取付体４は前記側フレーム２ｂ’に付設され、また、隠蔽体３はこの他方の扉板２ｂ及び一方の扉板２ａの双方の側フレーム２ｂ’，２ａ’に添設される。
【００２７】
詳述すれば、図２〜図５に図示したように、前記取付体４と隠蔽体３とは、Ｈ型の鋼材で構成され、このＨ型鋼材のフランジ部分が隠蔽体３に設定され、このＨ型鋼材のウエブ部分が取付体４に設定され、この取付体４は前記他方の扉板２ｂの側面（前記他方の扉板２ａとの対向側面）に止着される。
【００２８】
前記Ｈ型鋼材は、一対の扉板２ａ，２ｂが閉じた際に両扉に生じる間隙の長さを考慮して全長が設定されている（例えば、長さ１８０〜２００ｃｍ程度）。
【００２９】
また、扉板２ｂの厚みを考慮して対向するフランジとフランジとの間の間隔が設定されている。
【００３０】
更に、前記間隙の幅を考慮してフランジ部分の幅長が設定されている（例えば、フランジ幅全長が３ｃｍ程度）。
【００３１】
取付体４は、本実施例の場合、貫通孔７を所定の間隔を置いて設けた構成とし（例えば、２０〜３０ｃｍ間隔）、この貫通孔７にビス８を挿通して他方の扉板２ｂに止着する構成としている。尚、図中符号11はネジ溝である。
【００３２】
取付体４は、適宜な係止具や接着材を用いて他方の扉板２ｂに止着して良いが、接着材で止着した場合に比し、ビス８等の係止具を用いた方が、Ｈ型鋼材の取替えや、後述するゴムパッキン10の取替えが容易となる。
【００３３】
本実施例の場合、両扉板２ａ，２ｂ夫々の側フレーム２ａ’，２ｂ’の対向側面にはゴムパッキン10が設けられている。よって、取付体４に長さ方向に延びる長孔９を設け、この長孔９に前記ゴムパッキン10を嵌入する構成とすることで、このゴムパッキン10の機能を低下させることがない（図５参照）。
【００３４】
尚、本実施例は、図６〜図８に図示したように、フランジ部分と扉板２ｂの側フレーム２ｂ’とをビス等で止着しても良いが、扉板２ｂの外側や内側面にビス８等の係止具が露出しない本実施例の方が外観や防犯性に秀れている。
【００３５】
本実施例の取付体４及び隠蔽体３は鋼材であるため強度に秀れ破損しにくく、フランジ部分の厚みを１ｍｍ〜１．５ｍｍ程度と薄く設定しても十分に強度を有する。
【００３６】
尚、鋼材以外の例えば強化プラスチック等の適宜な素材を採用しても良い。
【００３７】
また、本実施例は、Ｈ型鋼以外にも、間隙の隠蔽効果を発揮する形状のものであれば、例えばＬ型鋼やＴ型鋼、帯状の一枚板等を適宜採用しても良い。
【００３８】
Ｌ型鋼やＴ型鋼は、扉板２ａ，２ｂのどちらか一方に設けても良く、また、帯状の一枚板は、扉板２ａ，２ｂのどちらか一方の表裏面に設けたり、一方の扉板２ａの表面と他方の扉板２ｂの裏面に設けたりする。
【００３９】
また、隠蔽体３は、扉板２ａ若しくは扉板２ｂの側フレーム２ａ’，２ｂ’の側面に取付体４を介して設けられる該扉板２ａ，２ｂと同厚の部材でも良い。
【００４０】
また、図９，図10は、本実施例の別例である。側面を凸部に形成した側フレーム２ａ’を扉板２ａの側面に設け、他方の扉板２ｂの側面には前記凸部が嵌合する凹部を形成した側フレーム２ｂ’を設けた場合である。この場合は、一対の扉板２ａ，２ｂが閉じて前記凸部及び凹部が嵌合し、閉じた扉板２ａ，２ｂの間隙が隠蔽される。
【００４１】
尚、前記凹部の深さは10ｍｍ〜15ｍｍ程度にすると良い。
【００４２】
本実施例は上述のように構成したから、一対の扉板２ａ，２ｂが閉じた際における両扉の間隙をＨ型鋼材を設けることによって簡単に隠蔽することができることになる。
【００４３】
これにより、建物外部Ｅ側から内部Ｉ側への通行者を検知する検知部が設けられていない本実施例の自動扉装置において、仮に、閉状態の扉板２ａ，２ｂに僅かな間隙や、閉状態の扉板２ａ，２ｂを人為的に力を加えて生じさせた僅かな間隙があっても、この間隙は前記隠蔽体３で扉板２ａ，２ｂの外側及び内側面から確実に隠蔽される為、例えば下敷きＳのような薄板材や、針金等の器物をこの間隙に挿入することはできず、よって、上述した従来のような外部Ｅの侵入者の無断侵入を効果的に防止することができる。
【００４４】
また、本実施例は、Ｈ型鋼材を採用するから、従来の自動扉装置に極めて容易な取付け作業により隠蔽体３及び取付体４を形成実現でき、しかも扉板２ａ，２ｂの外側及び内側面両面から確実に間隙を隠蔽することができる。
【００４５】
また、本実施例は、鋼材であるから強度に秀れ破損しにくい。
【００４６】
また、本実施例は、ビス８により止着するから、Ｈ型鋼材の取替えや、ゴムパッキン10の取替えを容易に行うことができる。
【００４７】
また、本実施例は、取付体４に長孔９を設け、この長孔９にゴムパッキン10を嵌入するから、扉板２ａ，２ｂに取付けられていたゴムパッキン10の機能は低下させることなく、間隙は確実に隠蔽することができる。
【００４８】
また、本実施例は、間隙が隠蔽されることで風やホコリ等の侵入も防止することができる。
【実施例２】
【００４９】
本発明の具体的な実施例２について図11に基づいて説明する。
【００５０】
本実施例は、前述した実施例１と同様、マンションの共同玄関に設置して建物内部Ｉと外部Ｅとを隔てる自動扉装置であり、この実施例２の自動扉装置は、建物内部Ｉからの通行者を検知した検知部１の信号を受けて作動する駆動機構により扉板２ｃをスライドさせて扉受体５に当接若しくは非当接とすることで通路を形成する構成となっており、また、この扉板２ｃが扉受体５に当接した際におけるこの扉受体５と扉板２ｃとの間隙が隠蔽される構成となっている。
【００５１】
検知部１は、扉板２ｃの内部Ｉ側の側面に設けられている。具体的には検知部１は、扉板２ｃの上方の図示しない駆動機構を収納した上枠部６に設けられている。
【００５２】
また、建物外部Ｅから内部Ｉへの通行者を検知する検知部は設けずに、外部Ｅからの通行者がある場合には、オートロック操作板17に通行者が暗証番号を打ち込むか、このオートロック操作板17のインターホンを介した呼出し通話によって住戸内から解除信号が送信されることによってのみ扉板２ｃがスライドして通路が形成される構成としている。
【００５３】
尚、本実施例においても前述した実施例１同様、検知部１は適宜なものを適宜な位置に設けて良い。
【００５４】
本実施例の場合、図11に図示したように、前記扉受体５の扉板２ｃとの対向側面には取付体４が設けられ、この取付体４には前記扉受体５に前記扉板２ｃが当接した際における前記扉受体５と前記扉板２ｃとの間隙を前記扉板２ｃの外側若しくは内側面から隠蔽する隠蔽体３が設けられている。
【００５５】
具体的には、前記取付体４と隠蔽体３とは、Ｌ型鋼材で構成され、このＬ型鋼材の一辺を隠蔽体３として、他辺を取付体４として設定し、この取付体４を前記扉受体５の扉板２ｃとの対向側面にネジ10等の止着具で止着した構成としている。
【００５６】
本実施例は、扉板２ｃの外側及び内側面の両面から間隙が隠蔽されるように、扉受体５に二つのＬ型鋼材を対向状体に設けても良い。
【００５７】
また、Ｌ型鋼以外にも、前記間隙の隠蔽効果を発揮する形状のものであれば適宜採用して良い。
【００５８】
本実施例は上述のように構成したから、扉受体５に扉板２ｃが当接した際における扉受体５と扉板２ｃとの間隙を簡易な構成のＬ型鋼材によって扉板２ｃの外側面から簡単に隠蔽することができることになる。
【００５９】
これにより、建物外部Ｅから内部Ｉへの通行者を検知する検知部が設けられていない実施例２の自動扉装置において、仮に、扉受体５と開閉扉２との間に僅かな間隙や、人為的に力を加えて生じさせた僅かな間隙があっても、この間隙は隠蔽体３で開閉扉２の外側面から確実に隠蔽されるため、例えば下敷きＳのような薄板材や、針金等の器物をこの間隙に挿入することはできず、よって、外部Ｅの侵入者の無断侵入を効果的に防止することができる。
【００６０】
また、本実施例は、Ｌ型鋼材を採用するから、従来の自動扉装置に極めて容易な取付け作業により隠蔽体３及び取付体４を形成実現できる。
【００６１】
その余は実施例１と同様である。
【実施例３】
【００６２】
本発明の具体的な実施例３について図12，13，14，15に基づいて説明する。
【００６３】
本実施例は、開閉する一対の扉板２ａ，２ｂと該扉板２ａ，２ｂを上下でガイドする上下枠部６，12との間隙を隠蔽する構成である。本実施例は、一枚の扉板２ｃに適用した場合にも同様の作用効果が得られる。尚、上下枠部６，12と扉板２ａ，２ｂとは該扉板２ａ，２ｂが該上下枠部６，12によりガイドされている構造となることで前記隙間に薄板等が挿入しにくい場合にはこの隠蔽体３は必要がない。
【００６４】
具体的には、上枠部６の内側面の下部に、一対の扉板２ａ，２ｂが閉状態となった際の該上枠部６と前記一対の扉板２ａ，２ｂの上枠部６との間隙を隠蔽する隠蔽体３が設けられた構成としている。
【００６５】
本実施例の場合、隠蔽体３は帯状の一枚板で構成される。
【００６６】
よって、本実施例によれば、一対の扉板２ａ，２ｂが閉状態となった際におけるこの上枠部６と前記一対の扉板２ａ，２ｂとの間隙が一対の扉板２ａ，２ｂの内側面から簡単に隠蔽できることになる。
【００６７】
尚、帯状の一枚板は、上枠部６の外側若しくは内側面あるはその双方に配設しても良い。
【００６８】
また、本実施例は、更に、一対の扉板２ａ，２ｂの下部に設けられるブレ止め（嵌入体16）に隠蔽機能が付与されている。
【００６９】
通常、一対の扉板２ａ，２ｂは、上部が上枠部６内で吊下げられる構造となっており（図示省略）、また、扉板２ａ，２ｂの下部２ａ'''，２ｂ'''は、下枠部12の開口部（図中Ｇ）より上方に位置した構造となっている。また、各扉板２ａ，２ｂの下部２ａ'''，２ｂ'''には所定間隔を置いてブレ止めが下方に突設され、このブレ止めが下枠部12に嵌合する構造となっている（図17参照）。
【００７０】
しかし、この構造では、一対の扉板２ａ，２ｂが閉状態となった際、各扉板２ａ，２ｂのブレ止めが設けられない部分と下枠部12との間には間隙が生じてしまう。よって、扉板２ａ，２ｂの下部２ａ'''，２ｂ'''に、ブレ止め機能とともに、前記間隙を隠蔽する機能を具備せしめるべく、本実施例は連続する前記隙間が生じないブレ止め（嵌入体16）を採用した。
【００７１】
また、隠蔽体３を角型鋼材とし、この角型鋼材を扉板２ａ，２ｂの各下端部に取り付けし、ネジ10により止着する構成としている。
【００７２】
尚、前記隠蔽体３は、下枠部12内を円滑に移動し得る形状に設定すれば良い。
【００７３】
また、前記角型鋼材には各扉板２ａ，２ｂの鍵14が貫通する貫通孔13が設けられている。尚、図中符号15は鍵14が嵌入する嵌入溝である。
【００７４】
本実施例は上述のように構成したから、下枠部12に各扉板２ａ，２ｂが当接した際におけるこの各扉板２ａ，２ｂと前記下枠部12との間隙を簡単に隠蔽することができることになる。
【００７５】
更に、前記嵌入体16は、図15に図示したように各扉板２ａ，２ｂが当接した際の対向側面を凹凸嵌合形状とすれば、閉状態で隠蔽体３同志の間に生じる間隙も隠蔽でき、防犯性が向上する。
【００７６】
これにより、建物外部Ｅ側から内部Ｉ側への通行者を検知する検知部が設けられていない自動扉装置において、仮に、一対の扉板２ａ，２ｂと下枠部12との間に僅かな間隙があっても、この間隙は隠蔽体３で隠蔽されるため、例えば下敷きＳのような薄板材や、針金等の器物をこの間隙に挿入することはできず、よって外部Ｅの侵入者の無断侵入を効果的に防止することができる。
【００７７】
尚、本発明は、実施例１，実施例２及び実施例３に限られるものではなく、各構成要件の具体的構成は適宜設計し得るものである。
【図面の簡単な説明】
【００７８】
【図１】実施例１の自動扉装置を示す説明図である。
【図２】実施例１の自動扉装置の要部を示す分解斜視図である。
【図３】実施例１の自動扉装置の要部を示す斜視図である。
【図４】実施例１の自動扉装置のＨ型鋼材を示す斜視図である。
【図５】実施例１の自動扉装置の要部を示す平断面図である。
【図６】実施例１の自動扉装置の要部を示す分解斜視図である。
【図７】実施例１の自動扉装置の要部を示す斜視図である。
【図８】実施例１のＨ型鋼材を示す斜視図である。
【図９】実施例１の自動扉装置の要部を示す斜視図である。
【図１０】実施例１の自動扉装置の要部を示す平断面図である。
【図１１】実施例２の自動扉装置の要部を示す平面図である。
【図１２】実施例３の自動扉装置を示す説明図である。
【図１３】実施例３の自動扉装置の要部を示す斜視図である。
【図１４】実施例３の自動扉装置の要部を示す説明図である。
【図１５】実施例３の自動扉装置の要部を示す底面図である。
【図１６】従来の共用玄関を示す平面図である。
【図１７】従来の自動扉装置を示す説明図である。
【符号の説明】
【００７９】
１  検知部
２ａ  扉板
２ｂ  扉板
２ｃ  扉板
３  隠蔽体
４  取付体
５  扉受体
６  上枠部
12  下枠部
16  嵌入体
【図１】
2007262757.tif 000003
【図２】
2007262757.tif 000004
【図３】
2007262757.tif 000005
【図４】
2007262757.tif 000006
【図５】
2007262757.tif 000007
【図６】
2007262757.tif 000008
【図７】
2007262757.tif 000009
【図８】
2007262757.tif 000010
【図９】
2007262757.tif 000011
【図１０】
2007262757.tif 000012
【図１１】
2007262757.tif 000013
【図１２】
2007262757.tif 000014
【図１３】
2007262757.tif 000015
【図１４】
2007262757.tif 000016
【図１５】
2007262757.tif 000017
【図１６】
2007262757.tif 000018
【図１７】
2007262757.tif 000019